【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
スピーチの部分を表している音波を電子マイクロホン信号に変換する気導マイクロホンと、
前記電子マイクロホン信号から分離したスピーチの部分を表している情報を検出し、前記スピーチ部分を表している情報を含む電子補助センサ信号を供給する補助センサとを具備し、
モバイル装置が他のモバイル装置と直接通信し、当該モバイル装置がネットワーク上のサーバと通信し、
該サーバとの通信には音声、ビデオおよび他のコンピュータ装置と共有するドキュメントのイメージに対応するデータとを含み、該モバイル装置は前記サーバに命令を送信して該命令に基づいてドキュメントを変更するように命令し、他のコンピュータ装置に該ドキュメントの変更に対応するデータを供給する
ことを特徴とするモバイル装置。
【請求項２】
スピーチ信号の音波を電子マイクロホン信号に変換するように構成されている気導マイクロホンと、
前記スピーチ信号からノイズを除去するのに用いられるスピーチに関する情報を含む電子補助センサ信号を供給するように構成されている補助センサと、
前記電子マイクロホン信号戸前記電子補助センサ信号からクリーンスピーチを推定するクリーン信号推定器と、
当該モバイル装置が他のモバイル装置と直接通信するのを許容するように構成されている通信インターフェイスと
を具備し、
前記通信インターフェイスはネットワーク上のサーバとの通信を許容するようにさらに構成されており、
前記サーバとの前記通信は音声およびビデオを含み、さらに他のコンピュータ装置と共有するドキュメントのイメージに対応するデータとを含む
ことを特徴とするモバイル装置。
【請求項３】
前記通信インターフェイスは他のモバイル装置との複数のタイプの通信を許容することを特徴とする請求項１または２に記載のモバイル装置。
【請求項４】
前記複数のタイプの通信のうちの１つは、他の複数のモバイル装置が通信に応じられるときでさえ、他のモバイル装置の１つだけとする１対１通信を含むことを特徴とする請求項３に記載のモバイル装置。
【請求項５】
前記複数のタイプの通信のうちの１つは、他の複数のモバイル装置との１対多数通信を含むことを特徴とする請求項３に記載のモバイル装置。
【請求項６】
前記複数のタイプの通信のうちの１つは多対多通信を含むことを特徴とする請求項３に記載のモバイル装置。
【請求項７】
前記サーバとの通信は、前記ドキュメントを変更する指示をさらに含み、該指示に基づいて、前記サーバは、前記ドキュメントを変更し、前記ドキュメントの変更に対応するデータを前記他のコンピューティング装置に提供するように構成されていることを特徴とする請求項２に記載のモバイル装置。
【請求項８】
前記モバイル装置は、該モバイル装置の位置を示す位置数値データ（ｐｏｓｉｔｉｏｎ  ｖａｌｕｅ）を生成することができる全地球測位衛星受信機をさらに含むことを特徴とする請求項１または２に記載のモバイル装置。
【請求項９】
サーバとの通信は、該サーバに前記位置数値データを提供するステップを含むことを特徴とする請求項８に記載のモバイル装置。
【請求項１０】
前記サーバは音声認識プログラムをホストするように構成され、該サーバと通信することは、該サーバに音声データを提供し、該サーバから認識されたテキストを受信することを含むことを特徴とする請求項１または２に記載のモバイル装置。
【請求項１１】
前記サーバは翻訳プログラムをホストし、該サーバと通信することは、ある言語の内容を該サーバに提供し、該サーバから別の言語の翻訳を受信することを含むことを特徴とする請求項１または２に記載のモバイル装置。
【請求項１２】
前記モバイル装置はセル電話（セル方式の携帯電話）を含むことを特徴とする請求項１または２に記載のモバイル装置。
【請求項１３】
前記モバイル装置はＰＤＡを含むことを特徴とする請求項１または２に記載のモバイル装置。
【請求項１４】
前記通信インターフェイスは別の装置への直接的な通信をさらに許容することを特徴とする請求項１または２に記載のモバイル装置。
【請求項１５】
気導マイクロホン信号を受信するステップと、
音声に関する情報を含む補助センサ信号を受信するステップと、
前記気導マイクロホン信号および前記補助センサ信号に基づいて、強調したクリーン音声値を推定するステップと、
前記強調したクリーン音声値を他のモバイル装置に直接提供するステップと
を含むことを特徴とするモバイル装置における方法。
【請求項１６】
前記強調したクリーン音声値を他のモバイル装置に直接提供するステップは、当該モバイル装置と前記他のモバイル装置との間の１対１通信中に前記強調したクリーン音声値を提供するステップを含むことを特徴とする請求項１５に記載の方法。
【請求項１７】
前記強調したクリーン音声値を他のモバイル装置に直接提供するステップは、前記モバイル装置と複数の他のモバイル装置との間の１対多数通信中に前記強調したクリーン音声値を提供するステップを含むことを特徴とする請求項１５に記載の方法。
【請求項１８】
前記強調したクリーン音声値を他のモバイル装置に直接提供するステップは、複数のモバイル装置間の多対多通信中に前記強調したクリーン音声値を提供するステップを含むことを特徴とする請求項１５に記載の方法。
【請求項１９】
前記モバイル装置とコンピューティング装置のネットワークとの間の通信を行うステップをさらに含むことを特徴とする請求項１５に記載の方法。
【請求項２０】
前記モバイル装置とコンピューティング装置の前記ネットワーク上のサーバとの間の通信を行うステップをさらに含むことを特徴とする請求項１９に記載の方法。
【請求項２１】
前記モバイル装置と前記サーバとの間の通信を行うステップは、インスタントメッセージを通信するステップを含むことを特徴とする請求項２０に記載の方法。
【請求項２２】
前記モバイル装置と前記サーバとの間の通信を行うステップは、前記サーバと通信する他のコンピューティング装置と共有される情報を通信するステップを含むことを特徴とする請求項２０に記載の方法。
【請求項２３】
共有される前記情報は、前記モバイル装置および前記他のコンピューティング装置に表示されるオブジェクトへの変更を含むことを特徴とする請求項２２に記載の方法。
【請求項２４】
共有される前記情報は音声情報をさらに含むことを特徴とする請求項２３に記載の方法。
【請求項２５】
共有される前記情報はビデオ情報をさらに含むことを特徴とする請求項２４に記載の方法。
【請求項２６】
前記モバイル装置の位置を割出しし、該モバイル装置の前記位置を該モバイル装置から前記サーバに伝えるステップをさらに含むことを特徴とする請求項２０に記載の方法。
【請求項２７】
前記モバイル装置の前記位置を使用して地図を生成し、該地図を前記サーバから他のコンピューティング装置に伝えるステップをさらに含むことを特徴とする請求項２６に記載の方法。
【請求項２８】
前記サーバにおいて翻訳サービスを使用して、前記モバイル装置から前記サーバに送信されたデータに基づいて、テキストをある言語から別の言語に翻訳するステップをさらに含むことを特徴とする請求項２０に記載の方法。
【請求項２９】
前記テキストの前記翻訳を表す音声信号を表す値を前記サーバから前記モバイル装置に戻すステップをさらに含むことを特徴とする請求項２８に記載の方法。
【請求項３０】
前記テキストの前記翻訳を表すテキストを前記サーバから前記モバイル装置に戻すステップをさらに含むことを特徴とする請求項２８に記載の方法。
【請求項３１】
前記モバイル装置と他の装置との間の通信を行うステップをさらに含むことを特徴とする請求項１５に記載の方法。
【請求項３２】
気導マイクロホンを用いてスピーチの部分を表している音波を電子マイクロホン信号に変換するステップと、
前記電子マイクロホン信号から分離したスピーチの部分を表している情報を検出する補助センサを用いて、前記スピーチ部分を表している情報を含む電子補助センサ信号を供給するステップとを含み、
モバイル装置が他のモバイル装置と直接通信し、当該モバイル装置がネットワーク上のサーバと通信し、
該サーバとの通信には音声、ビデオおよび他のコンピュータ装置と共有するドキュメントのイメージに対応するデータとを含み、該モバイル装置は前記サーバに命令を送信して該命令に基づいてドキュメントを変更するように命令し、他のコンピュータ装置に該ドキュメントの変更に対応するデータを供給する
ことを特徴とするモバイル装置における方法。
【請求項３３】
全地球測位衛星受信機を用いて前記モバイル装置の位置を示す位置数値データを生成することができるステップを更に含む特徴とする請求項３２に記載の方法。
【請求項３４】
前記位置数値データを前記サーバに供給するステップを更に含む特徴とする請求項３３に記載の方法。
【請求項３５】
前記サーバはスピーチ認識プログラムをホストし、該サーバとの通信ステップは、ある音声データを該サーバに提供すると、該サーバから認識されたテキストデータを受信するステップを含むことを特徴とする請求項２２に記載の方法。
【請求項３６】
前記サーバは翻訳プログラムをホストし、該サーバとの通信ステップは、ある言語で内容を該サーバに提供すると、該サーバから他の言語に翻訳されて受信されるステップを含むことを特徴とする請求項２２に記載の方法。